(57)【要約】      （修正有）【課題】雪などによる上げ動作が不能の事態であっても、１つの空気シリンダで最低作用高さまで強制的に上昇させることが出来るパンタグラフを提供する。【解決手段】空気シリンダ１のピストンロッド１ｂが押し出されてパンタグラフを下降させる機構において、ピストンロッド１ｂのヘッド部１ｃとパンタグラフ主軸６のテコ部５を締結するリンク２を設け、空気シリンダ１の引込側に空気が供給された時の引込力をパンタグラフの主軸６に伝達でき、リンク２の片側の取付穴を長穴形状とすることにより、通常の集電性能に支障がなく、また、パンタグラフの最低作用高さ以上に引込力が作用しないようにシリンダ１の位置を構成した。この空気シリンダ１を用いれば、各部への着雪があっても、パンタグラフを上昇させることが出来、また、空気シリンダ１が１つで構成される。保守要員が除雪作業等を行うことなく、折畳み状態から素早く押上げ動作が行われるようになる。【選択図】図１
2013009515.tif 000002
【特許請求の範囲】
【請求項１】
パンタグラフの折畳み時に上昇防止用の鈎を作動させる鈎用空気シリンダを有し、該パンタグラフを下降させるロッド押出式の空気シリンダのヘッド部と前記パンタグラフの主軸のてこ部を有する鉄道車両用パンタグラフにおいて、該ヘッド部と該てこ部を連結するリンクを設け、該リンクの一方が前記ヘッドに貫設固定されたピンと回動支持され、前記リンクの他方が前記てこ部に貫設固定されたピンと長穴内摺動自由支持されることを特徴とする鉄道車両用パンタグラフ。
【請求項２】
前記鈎用空気シリンダの空気供給を分岐し、前記ロッド押出式の空気シリンダの排気側に供給することを特徴とする請求項１記載の鉄道車両用パンタグラフ。
【請求項３】
前記リンクの長穴内摺動自由支持の長穴端部と前記てこ部に貫設固定されたピンとが密接状態とし、引込み時の前記ロッド押し出し式の空気シリンダのストロークエンド位置に達するときと、前記てこ部が最低作用高さ位置（１１）に達するときとが一致することを特徴とする請求項１、２記載の鉄道車両用パンタグラフ。
【発明の詳細な説明】
【技術分野】
【０００１】
本発明は、鉄道車両用パンタグラフに関するものである。
【背景技術】
【０００２】
パンタグラフは、電車等が基地に留置されている場合には下げられて折り畳まれた状態にあり、各枠組や集電舟等の上に降り積もった雪によって上げ動作が不能となる事態が発生する。
【０００３】
従来、パンタグラフは保守要員により除雪作業が行われており、電車等の屋根に登っての雪降ろしや、常設の融雪装置により行われている。屋根に登っての除雪作業は、転落や感電の危険があるとともに、結氷化した積雪の排除が困難である。
融雪装置による除雪作業は、電車等を移動させる必要があるとともに限られた場所に設置されているために何処でも手軽に行い得ない。
【０００４】
従来のパンタグラフには、それ自体に除雪装置や融雪装置が備えられていないために、各枠組や集電舟等に付着した雪を排除することができない。このため、電車等が留置箇所から出庫出来ず、ダイヤの遅れを生じさせていた。
【０００５】
従来のパンタグラフには、最低作用高さまでパンタグラフを強制的に上昇させる専用の空気シリンダを装備したものがあるが、パンタグラフを降下させる空気シリンダと上昇させる空気シリンダの２個必要となる。
【先行技術文献】
【特許文献】
【０００６】
【特許文献１】特許公開平９−１８２２０４
【発明の概要】
【発明が解決しようとする課題】
【０００７】
本発明は、パンタグラフの基本構成を変更せず、雪などによる上げ動作が不能の事態であっても、１つの空気シリンダで最低作用高さまで強制的に上昇させることが出来るパンタグラフを提供することを目的に提案されたものである。
【課題を解決するための手段】
【０００８】
請求項１の発明によれば、パンタグラフの折畳み時に上昇防止用の鈎を作動させる鈎用空気シリンダを有し、該パンタグラフを下降させるロッド押出式の空気シリンダのヘッド部と前記パンタグラフの主軸のテコ部を有する鉄道車両用パンタグラフにおいて、該ヘッド部と該テコ部を連結するリンクを設け、該リンクの一方が前記ヘッドに貫設固定されたピンと回動支持され、前記リンクの他方が前記テコ部に貫設固定されたピンと長穴内摺動自由支持されることを特徴とする。
【０００９】
請求項２の発明によれば、請求項１において、前記鈎用空気シリンダの空気供給を分岐し、前記ロッド押出式の空気シリンダの排気側に供給することを特徴とする。
【００１０】
請求項３の発明によれば、請求項１、請求項２において、前記リンクの長穴内摺動自由支持の長穴端部と前記テコ部に貫設固定されたピンとが密接状態とし、引込み時の前記ロッド押し出し式の空気シリンダのストロークエンド位置に達するときと、前記テコ部が最低作用高さ位置（１１）に達するときとが一致することを特徴とする。
【００１１】
すなわち、シリンダのピストンロッドが押し出されてパンタグラフを下降させる機構において、ピストンロッドのヘッド部とパンタグラフ主軸のテコ部を締結するリンクを設け、シリンダの引込側に空気が供給された時の引込力をパンタグラフの主軸に伝達し、雪などによる上げ動作が不能の事態であっても、最低作用高さまでパンタグラフを上昇させることができ、また、リンクの片側の取付穴を長穴形状とすることにより、通常の上昇下降動作に支障がないように構成する。
【発明の効果】
【００１２】
上記の空気シリンダを用いれば、各部への着雪があっても、パンタグラフを上昇させることが出来、また、空気シリンダが１つで構成される。
【００１３】
保守要員が車体の屋根に登って除雪作業等を行うことなく、折畳み状態から素早く押上げ動作が行われるようになる。
【図面の簡単な説明】
【００１４】
【図１】本発明の空気シリンダおよび主軸テコ部を示した説明図である。
【図２】本発明の空気回路を示した説明図である。
【図３】従来のパンタグラフの空気シリンダ及び主軸テコ部を示した説明図である。
【図４】本発明の空気シリンダおよび主軸テコ部を示した説明図である。
【図５】本発明の空気シリンダおよび主軸テコ部を示した説明図である。
【発明を実施するための形態】
【００１５】
図１は、本発明の実施例の構成を示す図である。
【実施例１】
【００１６】
図１は、本発明のパンタグラフ集電時の空気シリンダおよび主軸テコ部を示す図である。２のリンクの片側は、1ｂのピストンロッドの先端に取り付けられた１ｃのヘッドに７のリンク取り付けピンによって回転自在に支持され、もう片側は、長穴部に４のローラ取り付けピンで支持されている。集電時、５のテコは最低から最高まで揺動回転するが、４のローラ取り付けピンは、２のリンクの長穴部を移動するため、集電性能に影響を与えない。
【００１７】
図２は、本発明の空気回路図を示す。空気シリンダの引込側に空気を供給させるために、カギシリンダに供給される空気配管を途中で分岐させ、急速排気弁と逆止弁を追加した。
【００１８】
図３は、従来のパンタグラフ突放時の空気シリンダおよび主軸テコ部を示す図である。８の空気配管からパンタグラフ降下用の空気が供給されると、１ａのピストンが前進し、１ｂのピストンロッドの先端に取り付けられた１ｃのヘッドが、５のテコの先端に４のローラ取り付けピンに回転自在で支持された３のローラを押すことにより、パンタグラフを折り畳み状態にする。
【００１９】
図４は、パンタグラフが雪などにより上げ動作が不能となった時の空気シリンダおよび主軸テコ部を示す図である。８ａの空気配管からパンタグラフ上昇用の空気が供給されると、１ａのピストンが後退し、１ｂのピストンロッドの先端に取り付けられた１ｃのヘッドが２のリンクを介して主軸を回転させ、パンタグラフを強制的に上昇させる。
【００２０】
図５は、パンタグラフが折畳状態から最低作用高さまで強制的に上昇させられた時の空気シリンダおよび主軸テコ部を示す図である。１ａのピストンが後退し、空気シリンダのストロークエンドまで達する時と、パンタグラフの最低作用高さ時の５のテコ位置を合わせることにより、最低作用高さ以上に空気シリンダの引込力が伝達しないようにした。
【符号の説明】
【００２１】
１    空気シリンダ
１ａ  ピストン
１ｂ  ピストンロッド
１ｃ  ヘッド
２    リンク
３    ローラ
４    ローラ取り付けピン
５    テコ
６    主軸
７    リンク取り付けピン
８    パンタ下げ用空気配管
８ａ  パンタ上げ用空気配管
９    台枠
１０  折畳み高さ位置
１１  最低作用高さ位置
１２  最高作用高さ位置
１３  突放し高さ位置
１４  鈎用空気シリンダ
【図１】
2013009515.tif 000003
【図２】
2013009515.tif 000004
【図３】
2013009515.tif 000005
【図４】
2013009515.tif 000006
【図５】
2013009515.tif 000007